(57)【要約】【課題】  切断したペーパーがカバーの前端部に付くことを防止し、ペーパーを迅速且つ容易に摘んで引き出すことができるようにする。【解決手段】  ロール形のトイレットペーパー１を、芯１ａを横にして回転自在に保持する本体部２と、この本体部２の上面を覆う庇状のカバー３とで形成する。このカバー３の前端部３ａでペーパー１の引き出し箇所を引き切って使用する。カバー３の前端部３ａの後方位置に、切断時にペーパー１を引き上げるとペーパー１に押されて一緒に前側上方に回動し、切断後は後方に回動復帰してペーパー１の引き出し端１ｂを垂下状に配置させる動作片４を備える。この動作片４に、動作片４の後側に垂れているペーパー１の引き出し端１ｂを下方から摘むための摘み箇所８を、下端４ａから上方に凹ませて切り欠き状に形成する。【選択図】        図１
2007061129.tif 000002
【特許請求の範囲】
【請求項１】
ロール形のトイレットペーパーを、芯を横にして回転自在に保持する本体部と、この本体部の上面を覆う庇状のカバーとで形成され、このカバーの前端部で上記のペーパーの引き出し箇所を引き切って使用するトイレットペーパーホルダーであって、上記カバーの前端部の後方位置に、切断時にペーパーを引き上げるとペーパーに押されて一緒に前側上方に回動し、切断後は後方に回動復帰してペーパーの引き出し端を垂下状に配置させる動作片を備え、この動作片に、動作片の後側に垂れているペーパーの引き出し端を下方から摘むための摘み箇所が、下端から上方に凹まれて切り欠き状に形成されていることを特徴とするトイレットペーパーホルダー。
【請求項２】
請求項１記載のトイレットペーパーホルダーであって、摘み箇所が、動作片の左右方向の中央部に形成されていることを特徴とするトイレットペーパーホルダー。
【請求項３】
請求項１又は２記載のトイレットペーパーホルダーであって、動作片が、カバーの前端部より下端を低くして設けられていることを特徴とするトイレットペーパーホルダー。
【発明の詳細な説明】
【技術分野】
【０００１】
本発明は、ロール形のトイレットペーパーをセットして使用するタイプのトイレットペーパーホルダーに関し、更に詳しくはペーパーの引き出し端を摘み易くし、容易且つ迅速に引き出すことができるよう形成したトイレットペーパーホルダーに関するものである。
【背景技術】
【０００２】
従来この種のホルダーとしては、例えばロール形のトイレットペーパーを、芯を横にして回転自在に保持する本体部と、この本体部の上面を覆う庇状のカバーとで形成され、このカバーの前端部でペーパーの引き出し箇所を引き切る構造のものがある。
また従来、カバーの前端部の近くに、スリットを前端部に沿って横長に形成し、このスリットにペーパーを裏側から表側に通し、表側に引き出したペーパーを下方に押し下げてカバーの前端部で切断するよう形成しているものも知られている（例えば特許文献１参照）。
【０００３】
ところで従来、この種のホルダーは、ペーパーをカバーの前端部で切断すると、前端部の鋸歯にペーパーが引っ掛かり、次に引き出すとき、ペーパーの引き出し端を摘みにくい、という問題点があった。従ってこの種のホルダーは、カバーの前端部が鋸歯状に形成されている場合でも、ペーパーを迅速且つ容易に引き出すことができるよう形成されているのが望ましい。
また特許文献１記載の従来品は、上記の通り、ペーパーの引き出し端をスリットに通し、カバーの前側に引き出し端を配置する構造であった。従ってこれによると、ペーパーの引き出し端を摘み易い反面、ペーパーの引き出し端がカバーの前側に垂れ下がって露出するため、体裁が悪く、また手洗いの際に水が飛散すると、この水でペーパーの引き出し端が濡れて千切れ易くなったり、更にはペーパーの引き出し端がスリットから抜け落ちると、その度に引き出し端をスリットに通し直さなければならない、という煩わしさがあった。
【特許文献１】実開平７−３６８８９号公報
【発明の開示】
【発明が解決しようとする課題】
【０００４】
本発明は、このような従来技術の問題点に鑑み、提案されたものである。
従って本発明の解決しようとする技術的課題は、カバーの前端部でペーパーを切断する構造のトイレットペーパーホルダーにおいて、ペーパーの引き出し端をカバーの前側に露出させることなく、切断したペーパーがカバーの前端部に付くことを防止し、ペーパーを迅速且つ容易に摘んで引き出すことができるよう形成したトイレットペーパーホルダーを提供することにある。
【課題を解決するための手段】
【０００５】
本発明は、上記の課題を解決するため、次のような技術的手段を採る。
即ち本発明は、図１等に示されるように、ロール形のトイレットペーパー１を、芯１ａを横にして回転自在に保持する本体部２と、この本体部２の上面を覆う庇状のカバー３とで形成され、このカバー３の前端部３ａで上記のペーパー１の引き出し箇所を引き切って使用するトイレットペーパーホルダーであって、上記カバー３の前端部３ａの後方位置に、切断時にペーパー１を引き上げるとペーパー１に押されて一緒に前側上方に回動し、切断後は後方に回動復帰してペーパー１の引き出し端１ｂを垂下状に配置させる動作片４を備え、この動作片４に、動作片４の後側に垂れているペーパー１の引き出し端１ｂを下方から摘むための摘み箇所８が、下端４ａから上方に凹まれて切り欠き状に形成されていることを特徴とする（請求項１）。
【０００６】
本発明の場合、動作片４は、通常、金属板や樹脂板で横長状に形成されるが、これに限定されるものではなく、その形状や材質は任意である。動作片４は、カバー３の裏側に設けられるのでも、或いは本体部２の前側に設けられるのでも良い。また本発明の場合、本体部２やカバー３の形状、材質、ペーパー１のホールド構造は、任意である。
【０００７】
また本発明は、摘み箇所８が、動作片４の左右方向の中央部に形成されているのが好ましい（請求項２）。
なぜならこれによると、摘み箇所８が片寄っている場合に比べ、ペーパー１を引き出し易くなり、またホルダーの取付位置や、使用者が右利きか左利きかに関係なく、ワンタイプで対応でき、使い勝手が良くなるからである。
【０００８】
また請求項１又は２に係る本発明は、図２等に示されるように、動作片４が、カバー３の前端部３ａより下端４ａを低くして設けられているのが好ましい（請求項３）。
なぜならこれによると、ペーパー１の引き出し端１ｂを確認し易くなり、その分、引き出し端１ｂを摘み易く、引き出し易くなるからである。
【発明の効果】
【０００９】
本発明は、このようにカバーの裏側に配置したペーパーの引き出し端を、ペーパーの切断後に、動作片によって強制的にカバーの前端部から引き離すよう形成しているものである。
従って本発明の場合は、ペーパーの引き出し端が、常時はカバーの裏側に配置されるため、引き出し端が露出することによる不利益を解消できる。またこれによると、切断後のペーパーが、カバーの前端部に付くことを防止でき、ペーパーを迅速且つ容易に摘んで引き出すことができる。
【発明を実施するための最良の形態】
【００１０】
以下、本発明を実施するための最良の形態を説明する。
本発明のトイレットペーパーホルダーは、図１等に示されるように、ロール形のトイレットペーパー１を、芯１ａを横にして回転自在に保持する本体部２と、この本体部２の上面を覆う庇状のカバー３とで形成され、カバー３の前端部３ａでペーパー１の引き出し箇所を引き切って使用するものである。
【００１１】
本発明は、上記カバー３の前端部３ａの後方位置に、ペーパー１の切断時にペーパー１を引き上げるとペーパー１に押されて一緒に前側上方に回動し、切断後は後方に回動復帰してペーパー１の引き出し端１ｂを垂下状に配置させる動作片４を備えて形成されている。この動作片４は、この実施形態では横長の板状に形成され、カバー３の先端に接続されている横長矩形状で上下面が開口した枠部材５の両側部に横軸６で枢着され、カバー３の裏側に備えられている。
【００１２】
カバー３の前端部３ａは、この実施形態では枠部材５の垂直前板５ａの下部裏側に固定した、鋸歯状の切断部材５ｂで形成されている。この切断部材５ｂの鋸歯状の刃先は、垂直前板５ａの前面から前側下方に傾斜されると共に、垂直前板５ａの前面の下側か、僅かにその前に突き出されて配置されている。これはペーパー１を、刃先に沿って引き出し易くすると共に、ペーパー１の引き上げ操作でカバー３のロック状態が解除されないようにするためである。本発明の場合、ペーパー１が動作片４の下端４ａから露出する長さは、動作片４が回動したとき、動作片４の下端４ａと切断部材５ｂの刃先との距離で決定される。即ち、この距離が短いほど、ペーパー１の露出長さを抑えることができる。
【００１３】
また枠部材５の背面の下部には、ペーパー１を前方に円滑に導くための紙当て部５ｃが形成されている。この紙当て部５ｃは、後方に凸湾曲の円弧状に形成されている。この実施形態の紙当て部５ｃは、別部材で形成され、枠部材５の背面の下部に接着されている。ペーパー１は、この紙当て部５ｃを介して切断部材５ｂの刃先に向かって前方に引き出され、円滑な引き出しが可能になる。
【００１４】
７（図２等参照）は、動作片４を回動復帰させるためのコイルバネである。このコイルバネ７は、動作片４の横軸６に嵌挿されて取り付けられ、動作片４の両側に夫々設けられている。このコイルバネ７の上片７ａは、枠部材５の側部の内面から内方に突き出された支持部５ｄに係止されている。またコイルバネ７の下片７ｂは、動作片４の両側上部に形成された切り欠き４ｂを介して動作片４の裏側から前側に通され、切り欠き４ｂの前縁に係止されている。
【００１５】
８は、動作片４の後側に垂れているペーパー１の引き出し端１ｂを下方から摘むための摘み箇所である。この摘み箇所８は、この実施形態では動作片４の左右方向の中央部に、動作片４の下端４ａから上方に横長の矩形状に凹まれて切り欠き状に形成されている。また図２等に示されるように、動作片４は、ペーパー１を引き出し易くなるよう、カバー３の前端部３ａより、下端４ａを低くして設けられている。
【００１６】
９（図３参照）は、ペーパー１を支持する平行一対の支持棒である。この支持棒９は、本体部２の下部に、ペーパー１の芯１ａの配置方向に沿って、且つ支持棒９同士の間隔がペーパー１の芯１ａの直径より小さい状態で横架されている。そしてこの実施形態の本発明の場合、後側の支持棒９ａは、リンク機構１０によりカバー３の開き動作に連動してペーパー１の直径の範囲内で後退動作自在に形成されている。
【００１７】
上記のリンク機構１０は、カバー３の枢着軸１１の端部にカバー３と一体状に形成されているフランジ１０ａと、このフランジ１０ａに上端が枢着されると共に、下端が後側の支持棒９ａの端部に枢着されているリンク部材１０ｂとで形成されている。１２は、後側の支持棒９ａの端部を案内するためのスリットである。このスリット１２は、本体部２の両側の内部の側板１３に形成されている。後側の支持棒９ａの各端部は、このスリット１２を介して本体部２の両側の内部スペースに突き出され、リンク部材１０ｂを介してフランジ１０ａに連結されている。本発明の場合、ペーパー１が全て引き出されて芯１ａだけになると、芯１ａは支持棒９で支持され、落下することなく本体部２内にそのまま残される。そしてカバー３を開くと、後側の支持棒９ａがスリット１２に案内されながら斜め後方に引き上げられて後退する。すると支持棒９同士の間隔が、芯１ａの直径より大きくなる。これにより芯１ａが、落下し、排出されるものである。
【００１８】
次に本発明の作用を説明する。
使用者は、カバー３を持ち上げて開き、新しいペーパー１を本体部２に投入する。本発明品の場合、後側の支持棒９ａの後退距離は、上記の通り、ペーパー１の直径の範囲内に選定されている。従って本体部２内に投入したペーパー１は、一対の支持棒９で支持され、落下することなく本体部２に保持される。次に使用者は、ペーパー１の引き出し端１ｂを、ローラ１４（図３参照）を介して下方に引き降ろし、紙当て部５ｃに接触させて垂れ下げ、ペーパー１をセットする。
【００１９】
そしてペーパー１を切断するときは、動作片４の後側に垂れているペーパー１の引き出し端１ｂを使用者は摘み箇所８の位置で下方から摘み、ペーパー１を前方に引き出すと共に、コイルバネ７の弾発力に抗して引き上げる（図８参照）。この場合、動作片４は、ペーパー１に押されて一緒に前側上方に回動する。またカバー３の前端部３ａの刃先は、この実施形態では垂直前板５ａの前側下方に斜めに突き出され、且つ垂直前板５ａの真下に配置されているから、ペーパー１は刃先の下面に沿って円滑に引き出され、また切断時の引き上げ操作でカバー３を開かせることなく、使用者はペーパー１を楽に切ることができる。そしてペーパー１が切断されると、動作片４は、コイルバネ７の復元力により後方に自動的に回動し、復帰する（図９参照）。従って本発明では、この動作片４によりペーパー１の引き出し端１ｂが押し戻され、垂下状に配置されることになる。
【図面の簡単な説明】
【００２０】
【図１】本発明のホルダーの好適な一実施形態を示す斜視図である。
【図２】同上ホルダーの要部正面図である。
【図３】同上ホルダーのカバーを開いたときの要部側面図である。
【図４】同上ホルダーの要部正面図である。
【図５】図４のＶ−Ｖ線における要部断面図である。
【図６】同上ホルダーの要部背面図である。
【図７】同上ホルダーの要部底面図である。
【図８】同上ホルダーの作用を説明するための要部側面図である。
【図９】同上ホルダーの作用を説明するための要部側面図である。
【符号の説明】
【００２１】
１      トイレットペーパー
１ａ    芯
１ｂ    引き出し端
２      本体部
３      カバー
３ａ    前端部
４      動作片
４ａ    下端
８      摘み箇所
【図１】
2007061129.tif 000003
【図２】
2007061129.tif 000004
【図３】
2007061129.tif 000005
【図４】
2007061129.tif 000006
【図５】
2007061129.tif 000007
【図６】
2007061129.tif 000008
【図７】
2007061129.tif 000009
【図８】
2007061129.tif 000010
【図９】
2007061129.tif 000011